(57)【要約】【課題】ディスプレイの駆動方法およびその駆動装置を提供すること。【解決手段】第１および第２ディスプレイセル１２のトランジスタ１２１のゲートをフローティングさせる工程と、第１セル１２のトランジスタ１２１のゲートに高電圧値を印加して当該トランジスタ１２１をオンにすると共に第２セル１２のトランジスタ１２１のゲートをフローティング状態に維持する工程と、第１セル１２のトランジスタ１２１のゲートに低電圧値を印加して当該トランジスタ１２１をオフにすると共に第２セル１２のトランジスタ１２１のゲートに高電圧値を印加して当該トランジスタ１２１をオンにする工程と、第１セル１２のトランジスタ１２１のゲートをフローティング状態にすると共に第２セル１２のトランジスタ１２１のゲートに低電圧値を印加して当該トランジスタ１２１をオフにする工程とからなる。【選択図】図３
2004046075.tif 000002
【特許請求の範囲】
【請求項１】
トランジスタとコンデンサとを備える複数のディスプレイセルと、ディスプレイセルにゲート信号を供給する複数のゲート信号線とを有し、いずれかのゲート信号線に接続されている一のディスプレイセルのトランジスタのゲートと、当該ディスプレイセルに隣接しており且つ前記ゲート信号線に隣接するゲート信号線に接続されている他のディスプレイセルのコンデンサとが相互に接続された構造になっているディスプレイの駆動方法であって、
前記一のディスプレイセルトランジスタのゲートおよび前記他のディスプレイセルのトランジスタのゲートをフローティング状態にする工程と、
一のディスプレイセルのトランジスタのゲートに第１電圧を印加して当該一のディスプレイセルのトランジスタをオンにし、前記他のディスプレイセルのトランジスタのゲートをフローティング状態に維持する工程と、
一のディスプレイセルのトランジスタのゲートに第２電圧を印加して、当該一のディスプレイセルのトランジスタをオフにし、他のディスプレイセルのトランジスタのゲートに第１電圧を印加して当該他のディスプレイセルのトランジスタをオンにする工程と、
一のディスプレイセルのトランジスタのゲートをフローティング状態にすると共に、他のディスプレイセルのトランジスタのゲートに第２電圧を印加して当該他のディスプレイのトランジスタをオフにする工程と、を有することを特徴とするディスプレイの駆動方法。
【請求項２】
第１および第２ディスプレイセルを備え、各ディスプレイセルはトランジスタおよびコンデンサを備え、第２ディスプレイセルのコンデンサは、第１ディスプレイセルのトランジスタのゲートに接続された構造になっているディスプレイの駆動方法であって、
前記第１および第２ディスプレイセルのトランジスタのゲートをフローティング状態にする工程と、
前記第１ディスプレイセルのトランジスタのゲートに第１電圧を印加して当該第１ディスプレイセルのトランジスタをオンにし、前記第２ディスプレイセルのトランジスタのゲートをフローティング状態に維持する工程と、
前記第１ディスプレイセルのトランジスタのゲートに第２電圧を印加して当該第１ディスプレイセルのトランジスタをオフにし、前記第２ディスプレイセルのトランジスタのゲートに前記第１電圧を印加して当該第２ディスプレイセルのトランジスタをオンにする工程と、
前記第１ディスプレイセルのトランジスタのゲートをフローティング状態にし、前記第２ディスプレイセルのトランジスタのゲートに前記第２電圧を印加して当該第２ディスプレイのトランジスタをオフにする工程とを有することを特徴とするディスプレイの駆動方法。
【請求項３】
前記第１および第２ディスプレイセルのトランジスタは、それぞれ、データ信号を受信するのに接続されるドレインを備えており、前記第２ディスプレイセルのコンデンサは、当該第２ディスプレイセルのトランジスタのソースと前記第１ディスプレイセルのトランジスタのゲートとの間に設けられている請求項２に記載のディスプレイの駆動方法。
【請求項４】
前記第１および第２ディスプレイセルは、それぞれ、さらに、ディスプレイセルのトランジスタのソースとコモン電極との間の電圧差によって制御される液晶セルを備えることを特徴とする請求項３に記載のディスプレイの駆動方法。
【請求項５】
前記第１電圧と前記第２電圧の間の電圧値を有する第３電圧と、前記第１電圧とを、交互に、前記コモン電極に印加する工程を有することを特徴とする請求項２から請求項４のいずれか一項に記載のディスプレイの駆動方法。
【請求項６】
トランジスタとコンデンサとを備える複数のディスプレイセルと、ディスプレイセルにゲート信号を供給する複数のゲート信号線とを有し、いずれかのゲート信号線に接続されている他のディスプレイセルのコンデンサは、当該他のディスプレイセルに隣接して設置されており且つ前記ゲート信号線に隣接するゲート信号線に接続されている一のディスプレイセルのトランジスタのゲートに接続されているディスプレイの駆動装置であって、
当該駆動装置は、一のディスプレイセル用ゲート信号を生成する一のゲート信号生成器と、他のディスプレイセル用のゲート信号を生成する他のゲート信号生成器を有し、
各ゲート信号生成器は、第１入力端、第２入力端およびゲート信号出力端を備えており、
一のゲート信号生成器の第１入力端は第１パルストレインを受信し、一のゲート信号生成器の第２入力端および他のゲート信号生成器の第１入力端は第２パルストレインを入力し、他のゲート信号生成器の第２入力端は第３パルストレインを入力するものであり、
一のゲート信号生成器のゲート信号出力端は一のディスプレイセルのトランジスタのゲートに接続され、他のゲート信号生成器のゲート信号出力端は他のディスプレイセルのトランジスタのゲートに接続されていることを特徴とする装置。
【請求項７】
第１および第２ディスプレイセルを備え、各ディスプレイセルはトランジスタおよびコンデンサを備え、第２ディスプレイセルのコンデンサは、第１ディスプレイセルのトランジスタのゲートに接続された構造になっているディスプレイの駆動装置であって、
第１ディスプレイセル用のゲート信号を生成する第１ゲート信号生成器と、第２ディスプレイセル用のゲート信号を生成する第２ゲート信号生成器とを有し、
各ゲート信号生成器は、第１入力端、第２入力端およびゲート信号出力端を備えるものであり、
第１ゲート信号生成器の第１入力端は、第１パルストレインを受信し、第１ゲート信号生成器の第２入力端と第２ゲート信号生成器の第１入力端は、第２パルストレインを受信し、第２ゲート信号生成器の第２入力端は第３パルストレインを受信するものであり、
第１および第２ゲート信号生成器のゲート信号出力端は、それぞれ、第１および第２ディスプレイセルのトランジスタのゲートに接続されていることを特徴とするディスプレイの駆動装置。
【請求項８】
各ゲート信号生成器は、それぞれ、
ゲート信号生成器の第１入力端を構成する入力端を備えるインバータと、
当該インバータの出力端に接続されるゲートと、第１電圧を受信するのに接続されるソースを備える第１型の第１トランジスタと、
前記インバータの出力端に接続されるゲートと、前記第１トランジスタのソースに接続されるドレインと、第２電圧を受信するのに接続されるソースとを備える第２型の第２トランジスタと、
前記インバータの出力端に接続されるゲートと、前記ゲート信号出力端に接続されるドレインと、前記第１トランジスタのドレインに接続されるソースとを備える前記第２型の第３トランジスタと、
前記第２入力端に接続されるゲートと、前記ゲート信号出力端に接続されるドレインと、前記第１電圧を受信するのに接続されるソースとを備える前記第１型の第４トランジスタと、
からなるものである請求項７に記載のディスプレイの駆動装置。
【請求項９】
前記第１および第２ディスプレイセルのトランジスタは、それぞれ、データ信号を受信するのに接続されるドレインを備えており、前記第２ディスプレイセルのコンデンサは、前記第２ディスプレイセルのトランジスタのソースと前記第１ディスプレイセルのトランジスタのゲートとの間に設けられている請求項７または請求項８に記載のディスプレイの駆動装置。
【請求項１０】
前記第１および第２ディスプレイセルは、それぞれ、コモン電極と、前記トランジスタの前記ソース間の電圧差により制御される液晶セルを備えるものである請求項７から請求項９のいずれか一項に記載のディスプレイの駆動装置。
【請求項１１】
前記コモン電極は、第１電圧と、当該第１電圧と前記第２電圧の間の電圧値を有する第３電圧とが交互に印加されるものである請求項８に記載のディスプレイの駆動装置。
【発明の詳細な説明】
【０００１】
【発明の属する技術分野】
本発明は、ディスプレイを駆動する方法と装置に関するもので、特に、前列のゲート信号線（ゲートライン）にストレージコンデンサ（ｓｔｏｒａｇｅ　ｃａｐａｃｉｔｏｒ）が接続された構造のディスプレイセルを備えるディスプレイの駆動方法およびその駆動装置に関する。
【０００２】
【従来の技術】
図１は、公知のディスプレイ駆動回路の一部分を示す図である。スキャンドライバ１１は、ゲート信号ＧＳをディスプレイセル１２に提供する。また、ディスプレイセル１２は、スキャン期間、データドライバ（図示しない）からデータ信号ＤＡＴＡによって運ばれた画素データを受信する。そして、ディスプレイセル１２が一列ずつスキャンされて、各フレームの画素データがディスプレイセルに記録される。
【０００３】
第「Ｎ＋１」列にあるディスプレイセル１２は、トランジスタ１２１、液晶セル１２２およびストレージコンデンサ１２３からなる。トランジスタ１２１は、第「Ｎ＋１」列のゲート信号「（Ｎ＋１）ｔｈＧＳ」に接続されるゲートと、データ信号ＤＡＴＡに接続されるドレインと、液晶セル１２２の一端に接続されるソースとを備える。液晶セル１２２のもう一端は、コモン信号Ｖｃｏｍを受信するコモン電極（図示しない）に接続される。ストレージコンデンサ１２３は、トランジスタ１２１のソースに接続された一端と、第Ｎ列のゲート信号「ＮｔｈＧＳ」を受信するために第Ｎ列のゲート信号線に接続された他端を備える。
【０００４】
図２は、図１で示される公知なディスプレイ駆動回路の信号のタイミングを示す図である。コモン信号Ｖｃｏｍは、電圧値Ｖ１〜Ｖ０を備えるＡＣ信号（交流電圧信号）である。そして、スキャンドライバ１１が高レベルゲート電圧信号ＶＧＨをゲート信号ＧＳとして出力すると、各ディスプレイセル１２のトランジスタはオンになり、スキャンドライバ１１が低レベルゲート電圧信号ＶＧＬをゲート信号ＧＳとして出力すると、各ディスプレイセル１２のトランジスタはオフになる。各コンデンサ１２３はディスプレイセル１２の前列のゲート信号線に接続されており、液晶セル１２２両端の電圧差を正確に維持するためには低レベルゲート電圧信号ＶＧＬはコモン信号Ｖｃｏｍと同様に振幅しなければならない。低レベルゲート電圧信号ＶＧＬは、電圧値Ｖ３〜Ｖ４を備えるＡＣ信号であり、（Ｖ３−Ｖ４）＝（Ｖ１−Ｖ０）である。その結果、ゲート信号ＧＳは、電圧値Ｖ２、Ｖ３およびＶ４（Ｖ２＞Ｖ３＞Ｖ４）を備える。ところが、ＡＣ信号を低レベルゲート電圧信号ＶＧＬとする駆動回路の消費電力はＤＣ信号（直流電圧信号）を用いるそれより大きい。
【０００５】
【特許文献１】
特開２００２−１９６７３５号公報
【０００６】
【発明が解決しようとする課題】
本発明は、トランジスタと、前列のゲート信号線に接続されたストレージコンデンサとを備えるディスプレイセルを有するディスプレイの駆動方法およびその駆動装置を提供することを目的とする。
【０００７】
【課題を解決するための手段】
上記課題を解決する本発明は、トランジスタとコンデンサとを備える複数のディスプレイセルと、ディスプレイセルにゲート信号を供給する複数のゲート信号線とを有し、いずれかのゲート信号線に接続されている一のディスプレイセルのトランジスタのゲートと、当該ディスプレイセルに隣接しており且つ前記ゲート信号線に隣接するゲート信号線に接続されている他のディスプレイセルのコンデンサとが相互に接続された構造になっているディスプレイの駆動方法であって、前記一のディスプレイセルトランジスタのゲートおよび前記他のディスプレイセルのトランジスタのゲートをフローティング状態にする工程と、一のディスプレイセルのトランジスタのゲートに第１電圧を印加して当該一のディスプレイセルのトランジスタをオンにし、前記他のディスプレイセルのトランジスタのゲートをフローティング状態に維持する工程と、一のディスプレイセルのトランジスタのゲートに第２電圧を印加して、当該一のディスプレイセルのトランジスタをオフにし、他のディスプレイセルのトランジスタのゲートに第１電圧を印加して当該他のディスプレイセルのトランジスタをオンにする工程と、一のディスプレイセルのトランジスタのゲートをフローティング状態にすると共に、他のディスプレイセルのトランジスタのゲートに第２電圧を印加して当該他のディスプレイのトランジスタをオフにする工程と、を有することを特徴とするものである。
【０００８】
また、より解り易く説明すれば、本発明に係るディスプレイの駆動方法は、第１ディスプレイセル（一のディスプレイセル）および第２ディスプレイセル（他のディスプレイセル）を備え、各ディスプレイセルはトランジスタおよびコンデンサを備え、第２ディスプレイセルのコンデンサは、第１ディスプレイセルのトランジスタのゲートに接続された構造になっているディスプレイの駆動方法であって、前記第１および第２ディスプレイセルのトランジスタのゲートをフローティング状態にする工程と、前記第１ディスプレイセルのトランジスタのゲートに第１電圧を印加して当該第１ディスプレイセルのトランジスタをオンにし、前記第２ディスプレイセルのトランジスタのゲートをフローティング状態に維持する工程と、前記第１ディスプレイセルのトランジスタのゲートに第２電圧を印加して当該第１ディスプレイセルのトランジスタをオフにし、前記第２ディスプレイセルのトランジスタのゲートに前記第１電圧を印加して当該第２ディスプレイセルのトランジスタをオンにする工程と、前記第１ディスプレイセルのトランジスタのゲートをフローティング状態にし、前記第２ディスプレイセルのトランジスタのゲートに前記第２電圧を印加して当該第２ディスプレイのトランジスタをオフにする工程とを有することを特徴とするものである。
【０００９】
このように、ディスプレイセルのコンデンサの一端が、当該ディスプレイセル用のゲート信号線に隣接する別のゲート信号線すなわち前列のゲート信号線に接続された構造のディスプレイセルによって構成されるディスプレイにおいて、上述したように、所定の電圧値（すなわちＤＣ信号）である第１電圧を高レベルゲート電圧信号として用いまた第２電圧を低レベルゲート電圧信号として用いてディスプレイを駆動させると、低レベルゲート電圧信号をコモン信号と同様に振幅させる必要がなく駆動回路の消費電力を減少させることができる。また、一定電圧値の高レベルゲート電圧信号および低レベルゲート電圧信号を送ることでトランジスタをオン・オフさせるようにすると、オン・オフさせない状態としてトランジスタのゲートをフローティング状態にすることができ、フローティング状態においてもディスプレイセル延いてはディスプレイの確実な動作が確保される。
【００１０】
本発明は、さらに、第１および第２ディスプレイセルを備えるディスプレイの駆動装置を提供するものである。すなわち、上記課題を解決する本発明は、トランジスタとコンデンサとを備える複数のディスプレイセルと、ディスプレイセルにゲート信号を供給する複数のゲート信号線とを有し、いずれかのゲート信号線に接続されている他のディスプレイセルのコンデンサは、当該他のディスプレイセルに隣接して設置されており且つ前記ゲート信号線に隣接するゲート信号線に接続されている一のディスプレイセルのトランジスタのゲートに接続されているディスプレイの駆動装置であって、当該駆動装置は、一のディスプレイセル用のゲート信号を生成する一のゲート信号生成器と、他のディスプレイセル用のゲート信号を生成する他のゲート信号生成器を有し、各ゲート信号生成器は、第１入力端、第２入力端およびゲート信号出力端を備えており、一のゲート信号生成器の第１入力端は第１パルストレインを受信し、一のゲート信号生成器の第２入力端および他のゲート信号生成器の第１入力端は第２パルストレインを入力し、他のゲート信号生成器の第２入力端は第３パルストレインを入力するものであり、一のゲート信号生成器のゲート信号出力端は一のディスプレイセルのトランジスタのゲートに接続され、他のゲート信号生成器のゲート信号出力端は他のディスプレイセルのトランジスタのゲートに接続されていることを特徴とする装置である。
【００１１】
また、より解り易く説明すれば、本発明に係るディスプレイの駆動装置は、第１ディスプレイセル（一のディスプレイセル）および第２ディスプレイセル（他のディスプレイセル）を備え、各ディスプレイセルはトランジスタおよびコンデンサを備え、第２ディスプレイセルのコンデンサは、第１ディスプレイセルのトランジスタのゲートに接続された構造になっているディスプレイの駆動装置であって、第１ディスプレイセル用のゲート信号を生成する第１ゲート信号生成器（一のゲート信号生成器）と、第２ディスプレイセル用のゲート信号を生成する第２ゲート信号生成器（他のゲート信号生成器）とを有し、各ゲート信号生成器は、第１入力端、第２入力端およびゲート信号出力端を備えるものであり、第１ゲート信号生成器の第１入力端は、第１パルストレインを受信し、第１ゲート信号生成器の第２入力端と第２ゲート信号生成器の第１入力端は、第２パルストレインを受信し、第２ゲート信号生成器の第２入力端は第３パルストレインを受信するものであり、第１および第２ゲート信号生成器のゲート信号出力端は、それぞれ、第１および第２ディスプレイセルのトランジスタのゲートに接続されていることを特徴とするディスプレイの駆動装置である。
【００１２】
ゲート信号生成器は、高レベルゲート電圧信号を、ゲート信号として、スキャン期間にディスプレイセルに出力するものである。そして、スキャン期間を過ぎると、信号の出力を停止してディスプレイセルのトランジスタのゲートをフローティング状態にし、あるいは必要に応じて低レベルゲート電圧信号を出力する。なお、ゲート信号生成器には低レベルゲート電圧信号として用いられる低レベル電圧信号線が接続されている。このように一定電圧値の高レベルゲート電圧信号および低レベルゲート電圧信号をトランジスタのゲートに送る構成にすると、従来のように低レベルゲート電圧信号をコモン信号と同様に振幅させる必要がなく、駆動回路の消費電力を減少させることができる。また、本発明の装置のようなゲート信号生成器を用いてゲート電圧信号の送信を制御すると、トランジスタのゲートをフローティング状態にしてもディスプレイセル延いてはディスプレイの確実な動作が確保される。
【００１３】
【発明の実施の形態】
上述した本発明の目的、特徴、および長所をいっそう明瞭にするため、以下に本発明の好ましい実施の形態を挙げ、図を参照しながら、さらに詳しく説明する。
【００１４】
図３は、本発明の一具体例によるディスプレイ駆動回路の一部分を示す図である。図１および図３の同じ素子は同じ符号で示される。図３は、第Ｎ列および第「Ｎ＋１」列にあるディスプレイセルを例とするものである。各ディスプレイセル１２は、トランジスタ１２１、液晶セル１２２およびストレージコンデンサ１２３からなる。第Ｎ列のディスプレイセル（一のディスプレイセル、第１ディスプレイセル）１２のトランジスタは、Ｎ列のゲート信号「ＮｔｈＧＳ’」を受信するのに接続されるゲートと、データ信号ＤＡＴＡを受信するのに接続されるドレインと、液晶セル１２２の一端に接続されるソースとを備える。同様に、第「Ｎ＋１」列のディスプレイセル（他のディスプレイセル、第２ディスプレイセル）１２のトランジスタは、第「Ｎ＋１」列のゲート信号「（Ｎ＋１）ｔｈＧＳ’」を受信するのに接続されるゲートと、データ信号ＤＡＴＡを受信するのに接続されるドレインと、液晶セル１２２の一端に接続されるソースとを備える。すべての液晶セル１２２のもう一端は、コモン信号Ｖｃｏｍを受信するコモン電極（図示しない）に接続される。コモン信号Ｖｃｏｍは、電圧値Ｖ１〜Ｖ０を備えるＡＣ信号である。各ディスプレイセル１２のコンデンサは、ディスプレイセルの前列のゲート信号線と、トランジスタ１２１のソースとの間に接続される。
【００１５】
駆動回路は、さらに、ゲート信号生成器３１を備え、ディスプレイセル１２の一つに対応し、入力端ＡおよびＢ、ゲート信号出力端Ｃを備える。第Ｎ列のゲート信号生成器（一のゲート信号生成器、第１ゲート信号生成器）３１の入力端Ａは、シフトレジスタ（ｓｈｉｆｔ　ｒｅｇｉｓｔｅｒ、図示しない）から、第Ｎ列のパルストレイン「ＮｔｈＰＴ」を受信する。第Ｎ列のゲート信号生成器３１の入力端Ｂと、第「Ｎ＋１」列のゲート信号生成器（他のゲート信号生成器、第２ゲート信号生成器）３１の入力端Ａは、第「Ｎ＋１」列のパルストレイン「（Ｎ＋１）ｔｈＰＴ」を受信する。第「Ｎ＋１」列のゲート信号生成器３１の入力端Ｂは、第「Ｎ＋２」列のパルストレイン「（Ｎ＋２）ｔｈＰＴ」を受信する。第Ｎ列および第「Ｎ＋１」列のゲート信号生成器３１のゲート信号出力端Ｃは、第Ｎ列および第「Ｎ＋１」列のディスプレイセル１２のトランジスタ１２１のゲートに接続される。
【００１６】
各ゲート信号生成器３１は、インバータ３１５、Ｎ型のトランジスタ３１１，３１４、Ｐ型のトランジスタ３１２，３１３からなる。インバータ３１５は入力端Ａに接続される入力端を備える。すなわち、インバータ３１５の入力端はゲート信号生成器３１の入力端Ａを構成する。トランジスタ３１１は、インバータ３１５の出力端に接続されるゲートと、低レベルゲート電圧信号ＶＧＬ’を受信するために低レベル電圧信号線に接続されるソースを備える。トランジスタ３１２は、インバータ３１５の出力端に接続されるゲートと、トランジスタ３１１のソースに接続されるドレインと、高レベルゲート電圧信号ＶＧＨを受信するために高レベル電圧信号線に接続されるソースとからなる。トランジスタ３１３は、インバータ３１５の出力端に接続されるゲートと、ゲート信号出力端Ｃに接続されるドレインと、トランジスタ３１１のドレインに接続されるソースとからなる。トランジスタ３１４は、入力端Ｂに接続されるゲートと、ゲート信号出力端Ｃに接続されるドレインと、低レベルゲート電圧信号ＶＧＬ’を受信するために低レベル電圧信号線に接続されるソースとからなる。
【００１７】
図４は、図３の駆動回路に用いられる信号のタイミングを示す図である。図２と同じであるので、コモン信号Ｖｃｏｍは図４には示されていない。期間Ｐ１において、すべてのパルストレインＰＴ、すなわちパルストレイン「ＮｔｈＰＴ、（Ｎ＋１）ｔｈＰＴおよび（Ｎ＋２）ｔｈＰＴ」は低電圧値を備えるものであり、第Ｎ列および第「Ｎ＋１」列のゲート信号生成器３１のトランジスタ３１３，３１４はオフになり、したがって、それらのゲート信号出力端Ｃには高レベルゲート電圧信号ＶＧＨや低レベルゲート電圧信号ＶＧＬ’は送られず、ゲート信号出力端Ｃはフローティング状態になる。
【００１８】
期間Ｐ２において、各パルストレインＰＴ、すなわちパルストレイン「Ｎｔｈ、（Ｎ＋１）ｔｈＰＴおよび（Ｎ＋２）ｔｈＰＴ」は、それぞれ、高電圧値、低電圧値および低電圧値を備えるものであり、第Ｎ列のゲート信号生成器３１のトランジスタ３１２，３１３はオンになり、第「Ｎ＋１」列のゲート信号生成器３１のトランジスタ３１３，３１４はオフになる。つまり、第Ｎ列のゲート信号出力端Ｃは、ゲート信号「ＮｔｈＧＳ’」として、高レベルゲート電圧信号ＶＧＨから派生する電圧値Ｖ２を有するゲート信号（第１電圧）を出力する。他方、第「Ｎ＋１」列のゲート信号出力端Ｃはフローティング状態になる。
【００１９】
期間Ｐ３において、各パルストレインＰＴ、すなわちパルストレイン「Ｎｔｈ、（Ｎ＋１）ｔｈＰＴおよび（Ｎ＋２）ｔｈＰＴ」は、それぞれ、低電圧値、高電圧値および低電圧値を備えるものであり、第Ｎ列のゲート信号生成器３１のトランジスタ３１３，３１４は、それぞれ、オフとオンになり、第「Ｎ＋１」列のゲート信号生成器３１のトランジスタ３１２，３１３は、オンになる。つまり、第Ｎ列のゲート信号出力端Ｃは、ゲート信号「ＮｔｈＧＳ’」として、低レベルゲート電圧信号ＶＧＬ’から派生する電圧値Ｖ４を有するゲート信号（第２電圧）を出力する。他方、第「Ｎ＋１」列のゲート信号出力端Ｃは、ゲート信号「（Ｎ＋１）ｔｈＧＳ’」として、高レベルゲート電圧信号ＶＧＨから派生する電圧値Ｖ２を有するゲート信号を出力する。
【００２０】
期間Ｐ４において、各パルストレインＰＴ、すなわちパルストレイン「Ｎｔｈ、（Ｎ＋１）ｔｈＰＴおよび（Ｎ＋２）ｔｈＰＴ」は、それぞれ、低電圧値、低電圧値および高電圧値を備えるものであり、第Ｎ列のゲート信号生成器３１のトランジスタ３１３，３１４は、オフになり、第「Ｎ＋１」列のゲート信号生成器３１のトランジスタ３１３，３１４は、オフとオンになる。つまり、第Ｎ列のゲート信号出力端Ｃはフローティング状態になり、第「Ｎ＋１」列のゲート信号出力端Ｃは、ゲート信号「（Ｎ＋１）ｔｈＧＳ’」として、低レベルゲート電圧信号ＶＧＬ’から派生する電圧値Ｖ４を有するゲート信号を出力する。
【００２１】
各ディスプレイセルのゲート信号線が、そのスキャン期間だけは、固定電圧値を備え、スキャン期間を過ぎると、フローティング状態を維持するので、低レベルゲート電圧信号ＶＧＬ’は、コモン信号Ｖｃｏｍと同様に振幅する必要がなく、消費電力を減少させる。
【００２２】
図５は、本発明の一具体例によるディスプレイの駆動方法を示すフローチャートである。工程５１において、コモン電極には電圧値Ｖ１とＶ０が交互に印加される。電圧値Ｖ１は、電圧値Ｖ０とＶ２との間の電圧値である。工程５２において、第Ｎ列および第「Ｎ＋１」列のディスプレイセルのトランジスタのゲートをフローティング状態にする。工程５３において、第Ｎディスプレイセルのトランジスタのゲートに電圧値Ｖ２（第１電圧）が印加されて、それをオンにし、第「Ｎ＋１」列のディスプレイセルのトランジスタのゲートはフローティング状態に維持される。
【００２３】
工程５４において、電圧値Ｖ４（第２電圧）が第Ｎ列のディスプレイセルのトランジスタのゲートに印加されて、それをオフにし、電圧値Ｖ２が第「Ｎ＋１」列のディスプレイセルのトランジスタのゲートに印加されて、それをオンにする。
【００２４】
工程５５において、第Ｎ列のディスプレイセルのトランジスタのゲートがフローティング状態にされ、電圧値Ｖ４が第「Ｎ＋１」列のディスプレイセルのトランジスタのゲートに印加されて、それをオフにする。
【００２５】
このように、結論として、本発明は、トランジスタと、前列のゲート信号線に接続されたストレージコンデンサとを備えるディスプレイセルを有するディスプレイの駆動方法および駆動装置を提供するものである。ゲート信号生成器は、スキャン期間中、高レベルゲート電圧信号をゲート信号として、対応するゲート電圧信号線に出力するが、スキャン期間を過ぎるとディスプレイセルのトランジスタのゲートをフローティング状態にし、あるいは低レベルゲート電圧信号をゲート信号として対応するゲート電圧信号線に出力する。そして、本実施形態によれば低レベルゲート電圧信号をコモン信号と同様に振幅させる必要がなく、駆動回路の消費電力を減少させることができる。なお、本実施形態のような駆動方法は、種々の駆動回路で実現可能であると考えられるが、トランジスタのゲートがフローティング状態である場合においてディスプレイをより確実に駆動させることができるという点では、本実施形態のような駆動装置は好適である。
【００２６】
【発明の効果】
本発明によれば、ディスプレイの駆動回路の消費電力を減少させることができる。
【図面の簡単な説明】
【図１】公知のディスプレイ駆動回路の一部分を示す図。
【図２】図１の公知のディスプレイ駆動回路の信号のタイミングを示す図。
【図３】本発明の一具体例によるディスプレイ駆動回路を示す図。
【図４】図３の駆動回路に用いられる信号のタイミングを示す図。
【図５】本発明の一具体例によるディスプレイの駆動方法を示すフローチャート。
【符号の説明】
１１…スキャンドライバ
１２…ディスプレイセル
１２１，３１１，３１４…Ｎ型トランジスタ
１２２…液晶セル
１２３…コンデンサ
３１…ゲート信号生成器
３１２，３１３…Ｐ型トランジスタ
３１５…インバータ
【図１】
2004046075.tif 000003
【図２】
2004046075.tif 000004
【図３】
2004046075.tif 000005
【図４】
2004046075.tif 000006
【図５】
2004046075.tif 000007